(57)【要約】      （修正有）【課題】膀胱障害がある人の外出や旅行に際する心理的負担を緩和した携帯パウチ鞄を提供する。【解決手段】穿いたズボン１２又はスカートの脇縫い目中程の一部に穴を開け、尿収容袋となる第二パウチを手提げ用鞄４に収納する。使用者の体側に対向した面の上部に穴を開け、かつ少なくとも上部を開閉可能にした鞄又はバックであって、使用者の体に密着して取り付けられた蓄尿袋となる第一パウチ９にドレーンチューブ１１の一端が接続され、このチューブは上記ズボン又はスカートの穴から外部に引き出されて、その他端が鞄又はバックに開けられた穴から内部に入り込み、鞄又はバック内の第二パウチに接続して構成する。【選択図】図３
0003147273.tif 000002
【実用新案登録請求の範囲】
【請求項１】
穿いたズボンまたはスカートの脇縫い目中程の一部に穴を開け、尿収容袋（第二パウチ）を内部に入れ手提げ用もち手または肩掛けベルトを備えるとともに、使用者の体側に対向した面の上部に穴を開け、かつ少なくとも上部を開閉可能にした鞄又はバックであって、使用者の体に密着して取り付けられた蓄尿袋（第一パウチ）にドレーンチューブの一端が接続され、このチューブは上記ズボン又はスカートの穴から外部に引き出されて、その他端が鞄又はバックに開けられた穴から内部に入り込み、鞄又はバック内の尿収容袋に接続される携帯パウチ鞄。
【考案の詳細な説明】
【技術分野】
【０００１】本考案は、膀胱障害のある人がその外出や旅行の際の放尿に心理的負担がかかり、蓄えた尿の処理にも苦慮することを緩和した携帯パウチ鞄に関するものである。
【背景技術】
【０００２】一般に上記障害をもった人は、尿を収容するための収容袋（以下第一パウチという）を身体の一部に粘着剤等で貼り付けていて、ここに放尿を蓄えることを普通行っている。この第一パウチの内容量は約３５０ｍｌ程度であるので、長時間にわたる使用では蓄尿量以上の放尿が生じ、これを蓄えるためにより大きな内容積の第二パウチをゴムバンド等で脚に取り付けていた。
【考案の開示】
【考案が解決しようとする課題】
【０００３】しかしこのゴムバンドによる第二パウチの脚への取り付けは尿が溜まるにつれて次第に重くなって歩きにくく、あるいは歩いている際に下方にズリ落ちる事があり、その日常的な使用には不自由さと心理的負担がかかっていた。
【課題を解決するための手段】
【０００４】本考案はこのような課題を解決するものであり、穿いたズボンやスカート（スカートは以下略）の脇縫い目中程に小さな穴を開け、第二パウチを内部に入れ、かつ手提げ用もち手あるいは肩掛けベルトを備えた鞄にはドレーンチューブ導入穴を開け、体に密着している第一パウチの放尿端に一端が接続しているドレーンチューブをズボンの縫い目の穴から外部に引き出し、鞄に開けたドレーンチューブ導入穴から鞄内に導き入れて第二パウチに他端を接続したものである。
【考案の効果】
【０００５】上述の様に本考案の特徴は鞄の形態をしていて、手で提げたり肩に掛ける事が出来るため通常の鞄を片手でさげたと同じ状態か、あるいは両手が自由に使えるものである。その上さらに前記の脚にゴムバンドで取り付けたもののようにズリ落ちる心配もなく、足のシビレ等が生じない見た目には普通の鞄と変わらないものである。従って長時間の旅行や会議にも放尿処理に気を使わず、安心して出掛けることが出来る。
【考案を実施するための最良の形態】
【０００６】鞄の表主面は普通の鞄と変わらない形態をしているが裏主面はドレーンチューブを通す穴を一個あけ、鞄内部には第二パウチがズリ落ちない様にスナップ等で止めてあり、ズボンの脇縫い目中程に小さな穴を開けるだけですみ、使用時の外観を考えて縫い目の穴を塞ぐには５センチ位のコンシールファスナーの使用が最良であり、このファスナーで穴を体裁よく塞げば、使用者の心理的負担が少なくなる。
【実施例】
【０００７】以下、添付図面に従って実施例を説明する。
図１は、鞄を表主面から見た図であり１は鞄の肩掛け、２は一対の手提げの一方、３は鞄の上部開口部に施された第二パウチを出し入れするための開閉ファスナーである。４は鞄の表主面を示し、５は内装された第二パウチである。【０００８】図２は  鞄の裏主面を示し、２は前記した一対の手提げの他方、６は上部開口部近くにあけた穴である。図３に示すように体に貼り付けた第一パウチ９に一端が接続されたドレーンチューブ１１をズボン１２にあけた穴から外部に引き出し＜その他端を鞄内部の第二パウチ５に接続する。７はパウチ５が鞄内で上部に安定して保持されズリ落ちなくするための止め具、８は鞄下部に設けた第二パウチからの排尿用開閉フアスナーである。【０００９】図面３は前記の鞄を片手に持ちドレーンチューブ１１をズボン１２に装着した使用例であり１０はズボンにあけた穴はコンシールファスナー１０で隠されている。
【図面の簡単な説明】
【００１０】
【図１】  本考案の鞄を表主面から見た図
【図２】  同裏主面から見た図
【図３】  鞄の手提げを片手で持った使用の略図
【符号の説明】
【００１１】  １  肩掛け
２  手提げ
３  開閉ファスナー
４  鞄の表主面
５  第二パウチ
６  ドレーンチュウーブを出し入れする穴
７  止め具
８  排尿用開閉ファスナー
９  第一パウチ
１０  コンシールファスナー
１１  ドレーンチューブ
１２  ズボン
【図１】
0003147273.tif 000003
【図２】
0003147273.tif 000004
【図３】
0003147273.tif 000005
【手続補正書】
【提出日】平成20年10月17日(2008.10.17)
【手続補正１】
【補正対象書類名】実用新案登録請求の範囲
【補正対象項目名】請求項１
【補正方法】変更
【補正の内容】
【請求項１】
穿いたズボン又たはスカートの脇縫い目中程の一部に穴を開け、尿収容袋となる第二パウチを内部に入れ、手提げ用もち手または肩掛けベルトを備えるとともに、使用者の体側に対向した面の上部に穴を開け、かつ少なくとも上部を開閉可能にした鞄又はバックであって、
使用者の体に密着して取り付けられた蓄尿袋となる第一パウチに、ドレーンチューブの一端が接続され、このチューブは上記ズボン又はスカートの穴から外部に引き出されて、その他端が鞄又はバックに開けられた穴から内部に入り込み、鞄又はバック内の第二パウチに接続されることを特徴とする携帯パウチ鞄。
【手続補正３】
【補正対象書類名】明細書
【補正対象項目名】０００６
【補正方法】変更
【補正の内容】
【０００６】
鞄の表主面は普通の鞄と変らない形態をしているが裏主面はドレーンチューブを通す穴を一個あけ、鞄内部には第二パウチがズリ落ちない様にスナップ等で止めてあり、ズボンの脇縫い目中程に小さな穴を開けるだけですみ、使用時の外観を考えて縫い目の穴を塞ぐには５センチ位のコンシール（登録商標）ファスナーの使用が最良であり、このファスナーで穴を体裁よく塞げば、使用者の心理的負担が小さくなる。
【手続補正４】
【補正対象書類名】明細書
【補正対象項目名】０００８
【補正方法】変更
【補正の内容】
【０００８】
図２は、鞄の裏主面を示し、２は前記した一対の手提げの他方、  ６は上部開口部近くにあけた穴である。図３に示すように体に貼り付けた第一パウチ９に一端が接続されたドレーンチューブ１１をズボン１２にあけた穴から外部に引き出し、その他端を鞄内部の第二パウチ５に接続する。７はパウチ５が鞄内で上部に安定して保持されズリ落ちなくするための止め具、８は靴下部に設けた第二パウチからの排尿用開閉ファスナーである。
【手続補正５】
【補正対象書類名】図面
【補正対象項目名】全図
【補正方法】変更
【補正の内容】
【図１】
0003147273.tif 000006
【図２】
0003147273.tif 000007
【図３】
0003147273.tif 000008